(57)【要約】【課題】  動画撮影中に撮影される静止画におけるブレの発生を未然に防止し、さらにはブレの発生のない静止画を動画撮影中に撮影する。【解決手段】  動画撮影を終了したか否かを判断する（Ｓ１０１）。動画撮影が終了されずに継続中であるならば、ユーザがズーム操作を開始したか否かを判断する（Ｓ１０２）。ズーム操作が検出されると、ズーム操作を終了したか否かを判断する（Ｓ１０３）。このＳ１０３の判断がＮＯである間、つまりズーム操作が終了するまでは、次のステップへ移行しない。したがって、この間において、ユーザがズーム操作を行った際の顕著な手ブレに起因するブレのある静止画が撮影されることはない。そして、ユーザがズーム操作を終了することにより、Ｓ１３の判断がＹＥＳになると、静止画撮影を行う（Ｓ１０４）。したがって、ズーム操作を終了した後のブレのない静止画が自動的に撮影される。【選択図】    図３
2005278037.tif 000002
【特許請求の範囲】
【請求項１】
撮像手段と、
前記撮像手段に撮り込まれるイメージの倍率を光学的に変更する変更手段と、
前記撮像手段を連続的に駆動させて、撮り込んだイメージを動画として記録する動画記録手段と、
前記動画記録手段によって連続的に撮り込まれるイメージより、所定のイメージを静止画として記録する静止画記録手段と、
前記動画記録手段によるイメージの撮り込みの間、前記変更手段による倍率の変更を検出する変更検出手段と、
この変更検出手段による検出の間、前記静止画記録手段によるイメージの撮り込みを禁止する禁止手段と
を備えることを特徴とする撮像装置。
【請求項２】
前記変更検出手段による倍率の変更終了を検出する終了検出手段と、
この終了検出手段によって変更終了を検出すると、前記静止画記録手段による記録を行うよう制御する制御手段と
をさらに備えることを特徴とする請求項１に記載の撮像装置。
【請求項３】
前記制御手段は、前記終了検出手段による検出の後から所定の微少時間後、前記静止画記録手段による静止画の記録を行うよう制御することを特徴とする請求項２記載の撮像装置。
【請求項４】
前記制御手段は、前記静止画記録手段を連続的に動作させて、複数の静止画を記録するよう制御することを特徴とする請求項２又は３記載の撮像装置。
【請求項５】
撮像部と、前記撮像部にて撮り込まれるイメージを光学的に変更するズーム制御部と、メモリとを備えた電子機器の撮影制御方法であって、
前記撮像部を連続的に駆動させて、撮り込んだイメージを動画として前記メモリに記録させる動画記録ステップと、
連続的に撮り込まれるイメージより、所定のイメージを静止画として記録する静止画記録ステップと、
前記動画記録ステップによるイメージの撮り込みの間、前記ズーム制御部による倍率の変更を検出する変更検出ステップと、
この変更検出ステップにて検出されている間、前記静止画記録ステップによるイメージの撮り込みを禁止する禁止ステップと
からなることを特徴とする撮影制御方法。
【請求項６】
撮像部と、前記撮像部にて撮り込まれるイメージを光学的に変更するズーム制御部と、メモリとを備えた撮像装置が有するコンピュータを、
前記撮像部を連続的に駆動させて、撮り込んだイメージを動画として前記メモリに記録させる動画記録手段と、
連続的に撮り込まれるイメージより、所定のイメージを静止画として記録する静止画記録手段と、
前記動画記録手段によるイメージの撮り込みの間、前記ズーム制御部による倍率の変更を検出する変更検出手段と、
この変更検出手段による検出の間、前記静止画記録手段よるイメージの撮り込みを禁止する禁止手段と
して機能させることを特徴とする撮影制御プログラム。
【発明の詳細な説明】
【技術分野】
【０００１】
本発明は、動画撮影中に静止画を撮影して記録する撮像装置、この撮影制御方法及び撮影制御プログラムに関する。
【背景技術】
【０００２】
今日においては、動画撮影中に静止画を撮影する機能やズーム機能を備えた撮像装置が出現するに至っている。この撮像装置においては、動画撮影開始キーを操作すると動画撮影が開始されて動画が記録されていく。この動画撮影中においてズーム操作を行うと被写体の拡大倍率が変化し、この変化した拡大倍率で撮影した動画が記録されることとなる。また、動画撮影中において静止画として記録したいシャッターチャンスがあった場合には、その時点でシャッターキーを操作する。すると、その時点での被写体の静止画が撮像されてメモリの静止画記録領域に記録される。
【０００３】
そして、動画撮影終了キーを操作すると、動画撮影を終了して動画撮影開始時点から終了時点までの動画がメモリの動画記録領域に記録されることとなる。したがって、ユーザは被写体の一連の動きを動画として記録することができるのみならず、ズームアップしたシーン等のシャッターチャンスとしたシーンを静止画として記録することもできる（例えば、特許文献１参照。）。
【特許文献１】特開２００２−１３５７９７号公報
【発明の開示】
【発明が解決しようとする課題】
【０００４】
しかしながら、前述のように動画画撮影中に静止画撮影を行うには、静止画撮影用のシャッターキーを操作することが必要となる。このとき、ユーザの動画撮影中の撮影スタイル（撮像装置の持ち方）と静止画撮影時の撮影スタイルとは異なることから、ユーザの挙動が動画撮影中から静止画撮影に移行した際に、手ブレが生ずる。さらに、これにズーム操作が加わると手ブレは一層顕著となり、ズームアップしてシャッターチャンスとしたシーンの静止画にブレが生じて不鮮明なものとなってしまう。
【０００５】
本発明は、かかる従来の課題に鑑みてなされたものであり、動画撮影中に撮影される静止画におけるブレの発生を未然に防止し、さらにはブレの発生のない静止画を動画撮影中に撮影することのできる撮像装置、撮影制御方法及び撮影制御プログラムを提供することを目的とする。
【課題を解決するための手段】
【０００６】
前記課題を解決するために請求項１記載の発明に係る撮像装置にあっては、撮像手段と、前記撮像手段に撮り込まれるイメージの倍率を光学的に変更する変更手段と、前記撮像手段を連続的に駆動させて、撮り込んだイメージを動画として記録する動画記録手段と、前記動画記録手段によって連続的に撮り込まれるイメージより、所定のイメージを静止画として記録する静止画記録手段と、前記動画記録手段によるイメージの撮り込みの間、前記変更手段による倍率の変更を検出する変更検出手段と、この変更検出手段による検出の間、前記静止画記録手段によるイメージの撮り込みを禁止する禁止手段とを備える。したがって、変更検出手段によって変更手段による倍率の変更が検出されている間、つまりユーザがズーム操作を行っている間は、動画撮影中において静止画を撮像することはできない。よって、ユーザがズーム操作を行った際の顕著な手ブレに起因するブレのある静止画が撮像されることはない。
【０００７】
また、請求項２記載の発明に係る撮像装置にあっては、前記変更検出手段による倍率の変更終了を検出する終了検出手段と、この終了検出手段によって変更終了を検出すると、前記静止画記録手段による記録を行うよう制御する制御手段とをさらに備える。すなわち、ズーム操作は次に狙う撮影構図を決めるために行われる操作でもあることから、倍率の変更終了を検出した後、つまりズーム操作が終了した直後の構図はユーザがシャッターチャンスとして意図した構図である可能性が高い。よって、ズーム操作の終了が検出された時点で自動的に静止画撮影手段を動作させて静止画を撮像させることにより、シャッターチャンスとして意図した構図である可能性が高い静止画を自動的に撮像することができる。
【０００８】
また、請求項３記載の発明に係る撮像装置にあっては、前記制御手段は、前記制御手段は、前記終了検出手段による検出の後から所定の微少時間後、前記静止画記録手段による静止画の記録を行うよう制御する。つまり、ズーム操作が終了した直後は、ユーザの指が動作している可能性があり、この時点で静止画を撮像すると当該静止画にブレが生ずる可能性がある。したがって、ズーム操作の終了が検出された時点から所定の微少時間後に静止画撮像を行うことにより、撮像された静止画にブレが生ずる可能性を解消することができ、その結果、確実にブレのない静止画を動画撮像中に撮像することが可能となる。
【０００９】
また、請求項４記載の発明に係る撮像装置にあっては、前記制御手段は、前記静止画記録手段を連続的に動作させて、複数の静止画を記録するよう制御する。したがって、ズーム操作の終了に伴って連写撮影がなされて、複数枚の静止画を時系列的に撮像することができる。よって、運動競技撮像時等の動きのある被写体の撮像時において、ユーザがシャッターチャンスとして意図した構図を確実に動画ととも撮像することができる。
【００１０】
また、請求項５記載の発明は、撮像部と、前記撮像部にて撮り込まれるイメージを光学的に変更するズーム制御部と、メモリとを備えた電子機器の撮影制御方法であって、前記撮像部を連続的に駆動させて、撮り込んだイメージを動画として前記メモリに記録させる動画記録ステップと、連続的に撮り込まれるイメージより、所定のイメージを静止画として記録する静止画記録ステップと、前記動画記録ステップによるイメージの撮り込みの間、前記ズーム制御部による倍率の変更を検出する変更検出ステップと、この変更検出ステップにて検出されている間、前記静止画記録ステップによるイメージの撮り込みを禁止する禁止ステップとからなる。したがって、記載したステップに従って処理を実行することにより、請求項１記載の発明と同様の作用効果を奏する。
【００１１】
また、請求項６記載の発明に係る撮影制御プログラムにあっては、撮像部と、前記撮像部にて撮り込まれるイメージを光学的に変更するズーム制御部と、メモリとを備えた撮像装置が有するコンピュータを、前記撮像部を連続的に駆動させて、撮り込んだイメージを動画として前記メモリに記録させる動画記録手段と、連続的に撮り込まれるイメージより、所定のイメージを静止画として記録する静止画記録手段と、前記動画記録手段によるイメージの撮り込みの間、前記ズーム制御部による倍率の変更を検出する変更検出手段と、この変更検出手段による検出の間、前記静止画記録手段よるイメージの撮り込みを禁止する禁止手段として機能させる。したがって、前記コンピュータがこのプログラムに従って処理を実行することにより、請求項１記載の発明と同様の作用効果を奏する。
【発明の効果】
【００１２】
以上説明したように、請求項１、５、６に係る発明によれば、撮像手段に撮り込まれるイメージの倍率の変更が検出されている間、つまりユーザがズーム操作を行っている間は、動画撮影中において静止画を撮像することはできない。したがって、ユーザがズーム操作を行った際の顕著な手ブレに起因するブレのある静止画が撮像されることはなく、よって、ユーザがズームアップしてシャッターチャンスとしたシーンの静止画にブレが生じて不鮮明なものとる不都合を未然に防止することができる。
【００１３】
また、請求項２に係る発明によれば、倍率の変更の終了が検出された時点で自動的に静止画撮影手段を動作させて静止画を撮像させることにより、シャッターチャンスとして意図した構図である可能性が高い静止画であって、ブレのない静止画を自動的に撮像することができる。
【００１４】
また、請求項３に係る発明によれば、ズーム操作が終了した直後は、ユーザの指が動作している可能性があることから、ズーム操作の終了が検出された時点から所定の微少時間後に静止画撮像を行うことにより、撮像された静止画にブレが生ずる可能性を解消することができ、その結果、確実にブレのない静止画を動画撮像中に撮像することが可能となる。
【００１５】
また、請求項４に係る発明によれば、ズーム操作の終了に伴って連写撮影がなされて、複数枚の静止画が時系列的に撮像することができることから、動きのある被写体の撮像時において、ユーザがシャッターチャンスとして意図した構図を確実に動画ととも撮像することができる。
【発明を実施するための最良の形態】
【００１６】
以下、本発明の一実施の形態を図に従って説明する。
（第１の実施の形態）
【００１７】
図１は、本発明の一実施の形態に係る動画撮像中に静止画を撮像する機能を備えたデジタルカメラの構成を示すブロック図である。図において画像取得部１は、撮像レンズ１０１とズーム駆動部１０２及びＬＰＦ１０３を備えている。撮像レンズ１０１はズーム機能を備えた光学系であり、ズーム駆動部１０２はドライバ３により制御されて撮像レンズ１０１を駆動するステッピングモータ等を有してなる。ＬＰＦ１０３は、水晶ローパスフィルターであって、モアレの発生を防止すべく搭載されている。
【００１８】
この画像取得部１の後段には、ＣＣＤ、ＣＭＯＳ等の撮像センサ２０１と、サンプリング／信号処理部２０２、及びＡＤコンバータ２０３とを有するアナログ信号処理部２が配置されている。撮像センサ２０１は、ＬＰＦ１０３を介してレンズ１０１により結像された被写体画像（イメージ）のＲＧＢの各色の強さを電流値に変換する。また、撮像センサ２０１は、制御部５が設定した電荷蓄積時間がシャッターパルスとして、ドライバー３に供給され、これに従いドライバー３が撮像センサ２０１を駆動することにより電荷蓄積時間すなわち露光時間が制御される。つまり撮像センサ２０１は電子シャッターとして機能する。サンプリング／信号処理部２０２は、撮像センサ２０１からの画像信号のノイズや色むらを抑えるために相関二重サンプリング処理や信号増幅処理を行う。ＡＤコンバータ２０３は、サンプリング／信号処理部２０２がサンプリング・増幅したアナログ信号をデジタル信号に変換し、ＲＧＢ、ＣＹＭＧ各色について１２ｂｉｔデータに変換してバスライン４に出力する。
【００１９】
制御部５は、ＣＰＵ及びその周辺回路と、ＣＰＵの作業用メモリであるＲＡＭ、及び内蔵クロック（不図示）に基づき計時する時計部５０１等を有するマイクロコンピュータであり、後述するプログラムメモリ１６に格納されるプログラムに基づいて、このデジタルカメラ全体を制御する。プレビューエンジン６は、アナログ信号処理部２を介して入力されたデジタルデータ、若しくはシャッター操作検出後イメージバッファ１２に格納されたデジタルデータ、及び画像メモリ１７に格納されたデジタルデータを表示部９に表示させるための間引き処理を行う回路部である。Ｄ／Ａコンバータ７は、プレビューエンジン６により間引きされたデジタルデータを変換し、後段のドライバ８に出力する。ドライバ８は、後段の表示部９に表示されるデジタルデータを一時記憶するバッファ領域を備え、キー操作部１３、制御部５を介して入力された制御信号に基づいて制御部５を駆動する。表示部９は、プレビュー画像を表示可能なカラーＴＦＴ液晶からなる。
フラッシュコントローラー１０は、ストロボフラッシュ用のＬＥＤ１１を制御するものであり、ストロボ発光の際の充電制御も兼ねる。イメージバッファ（ＳＤＲＡＭ）１２は、アナログ信号処理部２又はデジタル信号処理部１４を介して入力され、デジタル信号処理部１４で処理されるデジタルデータを一時的に格納する領域である。キー操作部１３は、シャッターキー１３１、動画撮影用の開始キー１３２と停止キー１３３、ズームキー１３４及び不図示の記録／再生モード、記録モードにおける動画撮影モードへの切り換えキー、十字キー、メニューキー等の外部操作手段を備える。
【００２０】
シャッターキー１３１は、静止画撮影を指示するためのキーであり、開始キー１３２は動画撮影の開始を指示し、停止キー１３３は動画撮影の終了を指示するためのキーである。ズームキー１３４は、シーソー式であって前記撮像レンズ１０１の拡大倍率を変化させるためのキーである。
【００２１】
デジタル信号処理部１４は、アナログ信号処理部２を介して入力されたデジタルデータ（非圧縮のＲＡＷイメージデータ）について、ホワイトバランス処理、色処理、階調処理、輪郭強調を行う。画像圧縮／伸張処理部１５は、デジタル信号処理部１４を介して入力されたデジタルデータ（非圧縮のＲＡＷイメージデータ）をＪＰＥＧ方式やＭＰＥＧ方式に圧縮符号化したり、再生モードにおいては、ＪＰＥＧ形式のファイルやＭＰＥＧ形式のファイルを伸長する。動画撮影の場合は、アナログ信号処理部２→イメージバッファ１２→デジタル信号処理部１４→圧縮／伸張処理部１５まで、一連の動作を行って動画ファイル（ＪＰＥＧ２０００形式、ＭＰＥＧ−４形式のファイル）を作成する。
【００２２】
プログラムメモリ（ＮＡＮＤ  Ｆｌａｓｈ  ＲＯＭ）１６は、制御部５にロードされる各種プログラムを格納するとともに、ＥＶ値、色補正情報等の各種情報をテーブル単位で格納しており、またＤＣＦ規格に準拠されているファイルに埋め込む各種情報も記憶している。画像メモリ１７は、ファイル形式に変換されたデジタルデータを格納する。カードＩ／Ｆ１８は、外部記録媒体１９とこのデジタルカメラとの間のデータ変換をサポートするものであり、外部記録媒体１９は、コンパクトフラッシュ（登録商標）、メモリースティック、ＳＤカード等の着脱自在なメモリからなる。外部接続用Ｉ／Ｆ２０は、ＵＳＢコネクター用スロットからなる。
【００２３】
図２は、前記画像メモリ１７のメモリ構成図であり、この画像メモリ１７には動画記憶部１７１と静止画記憶部１７２とが設けられている。動画記憶部１７１には、動画データがファイル名を付して記憶され、静止画記憶部１７２には静止画データが同様にファイル名を付して記憶される。
【００２４】
以上の構成に係る本実施の形態において、ユーザがキー操作部１３に設けられている前記切り換えキーを操作して動画撮影モードを設定し、動画撮影を開始すべく開始キー１３２を操作すると、制御部５は動画撮影を開始して、イメージバッファ１２に動画を構成するフレームデータを順次蓄積していく。また、制御部５はこの動画撮影に伴って、プログラムメモリ１６から予めロードしたプログラムに基づき、図３に示すフローチャートに従って処理を実行する。
【００２５】
すなわち、停止キー１３３に対する操作の有無に基づき、動画撮影を終了したか否かを判断する（ステップＳ１０１）。動画撮影が終了されずに継続中であるならば、ズームキー１３４に対する操作の有無に基づき、ユーザがズーム操作を開始したか否かを判断する（ステップＳ１０２）。そして、動画撮影中においてユーザがズーム操作を開始すると（ステップＳ１０２；ＹＥＳ）、ズーム操作を終了したか否かを判断しする（ステップＳ１０３）。このステップＳ１０３の判断がＮＯである間、つまりズーム操作が終了するまでは、次のステップへ移行しない。したがって、この間においてユーザがシャッターキー１３１を操作しても静止画撮影処理は実行されないことから、実質的に静止画撮影は禁止される。よって、ユーザがズーム操作を行った際の顕著な手ブレに起因するブレのある静止画が撮像されることはない。
【００２６】
そして、ユーザがズーム操作を終了することにより、ステップＳ１３の判断がＹＥＳになると、静止画撮影処理を行って（ステップＳ１０４）、イメージバッファ１２にズーム操作が終了した直後の静止画データを取り込む。さらに、この画像データから静止画ファイルを生成し（ステップＳ１０５）、この生成した静止画ファイルを静止画記憶部１７２に記憶させる（ステップＳ１０６）。
【００２７】
このとき、ズーム操作は次に狙う撮影構図を決めるために行われる操作でもあることから、ズーム操作が終了した直後の構図はユーザがシャッターチャンスとして意図した構図である可能性が高い。よって、ズーム操作の終了が検出された時点で自動的に静止画撮影を行って、その静止画ファイルを静止画記憶部１７２に記憶させることにより、シャッターチャンスとして意図した構図である可能性が高い静止画であって、ブレのない静止画を自動的に撮像することができる。
【００２８】
そして、ユーザが動画撮影を終了すべく停止キー１３３を操作すると（ステップＳ１０１；ＹＥＳ）、この時点までイメージバッファ１２に蓄積された動画を構成するフレームデータからなる動画ファイルを生成する（ステップＳ１０７）。さらに、この生成した動画ファイルにファイル名を付して、画像メモリ１７の動画記憶部１７１に記憶させ（ステップＳ１０８）、動画撮影を完了する。
【００２９】
（第２の実施の形態）
図４は、本発明の第２の実施の形態における処理手順を示すフローチャートである。このフローチャートにおいて、ステップＳ２０４を除くステップＳ２０１〜Ｓ２０３及びＳ２０５〜Ｓ２０９は、前述した第１の実施の形態を示す図３のフローチャートにおける、ステップＳ１０６を除くステップＳ１０１〜Ｓ２０８と同一の処理である。そして、本実施の形態において加えられたステップＳ２０４においては、時計部５０１が計時するクロックに基づき、５００ｍｓｅｃのカウントを行い、ユーザがズーム操作を終了してから５００ｍｓｅｃ経過した時点で、前述した静止画撮影（ステップＳ２０５）を行う。
【００３０】
つまり、ズーム操作が終了した直後は、ユーザの指が動作している可能性があり、この時点で静止画を撮影すると当該静止画にブレが生ずる可能性がある。したがって、ズーム操作の終了が検出された時点から５００ｍｓｅｃ後に静止画撮影を行うことにより、記録された静止画にブレが生ずる可能性を解消することができ、その結果、確実にブレのない静止画を動画撮像中に撮影することができる。
【００３１】
なお、本実施の形態における５００ｍｓｅｃは、所定の微少時間の一例であって、これよりも短くても長くてもよい。
【００３２】
（第３の実施の形態）
図５は、本発明の第３の実施の形態における処理手順を示すフローチャートである。このフローチャートにおいて、ステップＳ３０４を除くステップＳ３０１〜Ｓ３０３及びＳ３０５〜Ｓ３０９は、前述した第２の実施の形態を示す図４のフローチャートにおける、ステップＳ２０５を除くステップＳ２０１〜Ｓ３０９と同一の処理である。そして、唯一異なるステップＳ３０５においては、静止画の連写撮影を行う。
【００３３】
すなわち、ユーザがズーム操作を終了してから５００ｍｓｅｃ経過した時点で、所定のタイミング毎に画像データをイメージバッファ１２に取り込んで、所定複数の静止画データを蓄積する。しかる後に、この複数の静止像データからなる静止画ファイル、あるいは静止画データ毎の静止画ファイルを生成し（ステップＳ３０６）、この生成した静止画ファイルを静止画記憶部１７２に記憶させる（ステップＳ３０７）。
【００３４】
したがって、本実施の形態においては、ユーザがズーム操作を終了からの静止画が複数記憶されることとなる。また、前述のように、ズーム操作が終了した直後の構図はユーザがシャッターチャンスとして意図した構図である可能性が高い。よって、運動競技撮像時等の動きのある被写体の撮像時において、ユーザがシャッターチャンスとして意図した構図を確実に動画ととも撮影することができる。
【００３５】
なお、図示したフローチャートにおいては、ステップＳ３０４において５００ｍｓｃカウント処理を行うようにしたが、この処理を行うことなく、ズーム操作が終了した直後から静止画の連写撮影を開始するようにしてもよい。
【００３６】
（第４の実施の形態）
図６は、本発明の第４の実施の形態における処理手順を示すフローチャートである。ユーザがキー操作部１３に設けられている前記切り換えキーを操作して動画撮影モードを設定し、動画撮影を開始すべく開始キー１３２を操作すると、制御部５は動画撮影を開始して、イメージバッファ１２に動画を構成するフレームデータを順次蓄積していく。また、この動画撮影に伴って、プログラムメモリ１６から予めロードしたプログラムに基づき、このフローチャートに従って処理を実行する。
【００３７】
すなわち、停止キー１３３に対する操作の有無に基づき、動画撮影を終了したか否かを判断する（ステップＳ４０１）。動画撮影が終了されずに継続中であるならば、ズームキー１３４に対する操作の有無に基づき、ユーザがズーム操作を開始したか否かを判断する（ステップＳ４０２）。そして、動画撮影中においてユーザによるズームキー１３４の操作が検出されると（ステップＳ４０２；ＹＥＳ）、ズーム操作を終了したか否かを判断しする（ステップＳ４０３）。このステップＳ４０３の判断がＮＯである間、つまりズーム操作が終了するまでは、次のステップへ移行しない。したがって、この間においてユーザがシャッターキー１３１を操作しても静止画撮影処理は実行されないことから、実質的に静止画撮影は禁止される。よって、ユーザがズーム操作を行った際の顕著な手ブレに起因するブレのある静止画が撮像されることはない。
【００３８】
そして、ユーザがズーム操作を終了することにより、ステップＳ４３の判断がＹＥＳになると、５００ｍｓｃカウント処理を行って後（ステップＳ４０４）、静止画の連写撮影を開始し（ステップＳ４０５）、所定のタイミング毎に画像データをイメージバッファ１２に取り込んで、静止画データを蓄積する。引き続き、動画撮影を終了したか否かを判断し（ステップＳ４０６）、終了していない場合には再度ズーム操作を開始したか否かを判断する（ステップＳ４０７）。
【００３９】
そして、ユーザが動画撮影中に再度再度ズーム操作を開始した場合には、この時点で連写撮影を終了する（ステップＳ４０８）。しかる後に、連写撮影によりイメージバッファ１２に蓄積された複数の静止像データからなる静止画ファイル、あるいは静止画データ毎の静止画ファイルを生成し（ステップＳ４０９）、この生成した静止画ファイルを静止画記憶部１７２に記憶させる（ステップＳ４１０）。
【００４０】
したがって、本実施の形態においては、動画撮影中にズーム操作を終了した時点から次のズーム操作が開始されるまでの間において静止画の連写がなされることとなる。よって、ズーム操作の終了によって手ブレがなくなり、かつ、次のズーム操作により手ブレが生ずることのない間においてのみ静止画の連写撮影がなされ、これにより、連写された全ての静止画をブレのないものにすることができる。
【００４１】
そして、ユーザが動画撮影を終了すべく停止キー１３３を操作すると（ステップＳ４０１；ＹＥＳ）、この時点までイメージバッファ１２に蓄積された動画を構成するフレームデータからなる動画ファイルを生成する（ステップＳ４１１）。さらに、この生成した動画ファイルにファイル名を付して、画像メモリ１７の動画記憶部１７１に記憶させ（ステップＳ４１２）、動画撮影を完了する。
【００４２】
一方、静止画の連写撮影を開始した後（ステップＳ４０５）、ユーザが再度ズーム操作を行うことなく（ステップＳ４０７；ＮＯ）、動画撮影を終了すべく停止キー１３３を操作した場合には、ステップＳ４０６の判断がＹＥＳとなる。この場合は、フローチャートに示すように、前述したステップＳ４０８〜４１０の処理を実行するとともに、前記ステップＳ４１１及びＳ４１２の処理を実行する。したがって、ユーザが静止画の連写撮影を開始した後ズーム操作を行うことなく、動画撮影を終了した場合には、動画撮影の終了と同時に連写撮影も終了することとなる。
【００４３】
なお、図示したフローチャートにおいては、ステップＳ４０４において５００ｍｓｃカウント処理を行うようにしたが、この処理を行うことなく、ズーム操作が終了した直後から静止画の連写撮影を開始するようにしてもよい。
【００４４】
なお、実施の形態においては、本発明をデジタルカメラに適用した場合について説明したが、デジタルカメラ以外のビデオカメラ等の動画撮像機能を有する機器であれば、他の機器であっても本発明を適用することができる
【図面の簡単な説明】
【００４５】
【図１】本発明の一実施の形態に係るデジタルカメラの構成を示すブロック図である。
【図２】画像メモリのメモリ構成図である。
【図３】第１の実施の形態における処理手順を示すフローチャートである。
【図４】第２の実施の形態における処理手順を示すフローチャートである。
【図５】第３の実施の形態における処理手順を示すフローチャートである。
【図６】第４の実施の形態における処理手順を示すフローチャートである。
【符号の説明】
【００４６】
１    画像取得部
２    アナログ信号処理部
５    制御部
６    プレビューエンジン
７    Ｄ／Ａコンバータ
９    表示部
１２    イメージバッファ
１３    キー操作部
１６    プログラムメモリ
１７    画像メモリ
１０１    撮像レンズ
１０２    ズーム駆動部
１３１    シャッターキー
１３２    開始キー
１３３    停止キー
１３４    ズームキー
１７１    動画記憶部
２０１    撮像センサ
２０２    サンプリング／信号処理部
２０３    ＡＤコンバータ
【図１】
2005278037.tif 000003
【図２】
2005278037.tif 000004
【図３】
2005278037.tif 000005
【図４】
2005278037.tif 000006
【図５】
2005278037.tif 000007
【図６】
2005278037.tif 000008